(57)【要約】【課題】洗濯水量当たりの液剤基準使用量を正しく設定することで、液剤自動投入量を常に適正にする、ことを目的とする。【解決手段】水槽１０５内に回転可能に配設された有底円筒形状のドラム１０６と、液剤を収容した洗剤タンク１１７と、洗剤タンク１１７内の液剤をドラム１０６内へ自動投入する液剤自動投入装置１０９と、洗濯水量当たりの液剤投入量を設定する液剤投入量入力手段と、液剤投入量入力手段で設定された値を操作表示部１０４に表示させる液剤基準使用量表示手段と、コントローラと、を備える。洗濯水量当たりの液剤投入量が設定されていない場合、コントローラは、操作表示部１０４に、洗濯水量当たりの液剤投入量が未設定である旨を表示する。【選択図】図４
2019042265.tif 000002
【特許請求の範囲】
【請求項１】
外郭を形成する筐体と、
前記筐体内に弾性防振支持された水槽と、
前記水槽内に回転可能に配設された有底円筒形状のドラムと、
液剤を収容したタンクと、
前記タンク内の液剤を前記ドラム内へ自動投入する液剤自動投入手段と、
操作部と表示部を有する操作表示部と、
洗濯水量当たりの液剤投入量を設定する液剤投入量入力手段と、
前記液剤投入量入力手段で設定された値を前記操作表示部に表示させる液剤基準使用量表示手段と、
洗い・すすぎ・脱水の一連の洗濯運転を実行するコントローラと、を備え、
前記洗濯水量当たりの液剤投入量が設定されていない場合、前記コントローラは、前記操作表示部に、前記洗濯水量当たりの液剤投入量が未設定である旨を表示する洗濯機。
【請求項２】
前記洗濯水量当たりの液剤投入量が設定されていない場合、前記コントローラは、前記操作表示部の前記液剤基準使用量表示手段により前記洗濯水量当たりの液剤投入量が表示される位置に、前記洗濯水量当たりの液剤投入量が未設定である旨を表示する請求項１に記載の洗濯機。
【請求項３】
初期状態における洗濯水量当たりの液剤投入量を記憶する記憶部と、を備え、
前記コントローラは、洗濯水量当たりの液剤投入量が設定されていない状態で前記洗濯運転を実行した場合、前記記憶部に記憶されている液剤投入量に基づいた量の液剤を前記ドラムへ投入する、ことを特徴とした請求項１または２に記載の洗濯機。
【請求項４】
外郭を形成する筐体と、
前記筐体内に弾性防振支持された水槽と、
前記水槽内に回転可能に配設された有底円筒形状のドラムと、
液剤を収容したタンクと、
前記タンク内の液剤を前記ドラム内へ自動投入する液剤自動投入手段と、
操作部と表示部を有する操作表示部と、
洗剤または柔軟剤を手動投入するモードと、液剤を自動投入するモードのいずれかを選択する洗剤投入方法設定手段と、
洗い・すすぎ・脱水の一連の運転を実行するコントローラと、を備え、
前記コントローラは、洗濯水量当たりの液剤投入量が設定されていない状態において、前記洗剤投入方法設定手段で液剤を自動投入するモードを選択した場合、洗濯水量当たりの液剤投入量を設定する画面へ遷移する洗濯機。
【発明の詳細な説明】
【技術分野】
【０００１】
本発明は、液剤自動投入装置を搭載した洗濯機に関するものである。
【背景技術】
【０００２】
特許文献１は、洗剤液又は柔軟剤液などの液剤を自動で投入する洗濯機を開示する。
【０００３】
この洗濯機は、筐体と、筐体内に弾性防振支持された水槽と、水槽内に回転可能に支持されたドラムと、ドラム内に投入した洗濯物の量を検知する布量検知手段と、布量検知手段の信号によって洗濯水量を設定する水量設定手段と、液剤を収容したタンクと、タンク内の液剤をドラム内へ自動投入する液剤自動投入手段と、液剤の洗濯水量当たりの投入量を２水準以上の選択肢から選択可能とする液剤投入量選択手段と、液剤投入量選択手段で設定された液剤の洗濯水量当たりの投入量を表示する液剤投入量表示手段と、を備える。水量設定手段と液剤投入量選択手段の信号により、液剤自動投入手段はタンク内の液剤を水槽内へ供給する。
【先行技術文献】
【特許文献】
【０００４】
【特許文献１】特開２００１−１６２０８３号公報
【発明の概要】
【発明が解決しようとする課題】
【０００５】
上記従来の構成では、洗濯に適した液剤濃度とするために、洗濯水量に応じた所定量の液剤を液剤自動投入手段で投入していた。また、液剤は洗濯水量当たりの基準使用量が設定されているのが一般的であり、基準使用量が予め液剤投入量選択手段で設定した基準使用量と合わない場合、液剤が多く投入されたり少なく投入されたりして、所望の洗浄性能やすすぎ性能が得られなくなる。
【０００６】
しかしながら、従来の液剤投入量表示手段は、２水準以上の選択肢（例えば「おおめ」「ふつう」「すくなめ」）からいずれかを選択した状態のみ表示しているため、使用者が液剤の洗濯水量当たりの投入量を設定できているか否かが認知しにくかった。即ち、洗濯機を購入後、液剤の洗濯水量当たりの投入量を全く設定しなくても、選択肢の内の一つが表示されていれば、洗濯水量当たりの液剤投入量を設定し忘れることを認知しにくく、適正な液剤を投入できないまま洗濯機を使い続ける、という虞があった。
【０００７】
本発明は、従来技術の課題を解決するもので、使用者が、洗濯水量当たりの液剤投入量を設定し忘れることを抑制できる洗濯機を提供することを目的とする。
【課題を解決するための手段】
【０００８】
前記従来の課題を解決するために、本発明の洗濯機は、外郭を形成する筐体と、前記筐体内に弾性防振支持された水槽と、前記水槽内に回転可能に配設された有底円筒形状のドラムと、液剤を収容したタンクと、前記タンク内の液剤を前記ドラム内へ自動投入する液剤自動投入手段と、操作部と表示部を有する操作表示部と、洗濯水量当たりの液剤投入量を設定する液剤投入量入力手段と、前記液剤投入量入力手段で設定された値を前記操作表示部に表示させる液剤基準使用量表示手段と、洗い・すすぎ・脱水の一連の洗濯運転を実行するコントローラと、を備え、前記洗濯水量当たりの液剤投入量が設定されていない場合、前記コントローラは、前記操作表示部に、前記洗濯水量当たりの液剤投入量が未設定である旨を表示すようにしたものである。
【０００９】
これにより、使用者が、洗濯水量当たりの液剤投入量を設定し忘れることを抑制できる。
【発明の効果】
【００１０】
本発明の洗濯機は、使用者が、洗濯水量当たりの液剤投入量を設定し忘れることを抑制できる。
【図面の簡単な説明】
【００１１】
【図１】本発明の実施の形態１における洗濯機の斜視図
【図２】本発明の実施の形態１における洗濯機の縦断面図
【図３】本発明の実施の形態１における洗濯機のタッチパネル表示部の電源投入後の画面を示す図
【図４】図３において自動投入ボタンが操作された際に遷移する画面を示す図
【図５】図４において洗剤投入量入力手段が操作された際に遷移する画面を示す図
【図６】図５において洗濯水量当たりの洗剤基準使用量を設定した際に遷移する画面を示す図
【図７】（ａ）図４または図６において洗剤投入方法設定・表示ボタンがタッチ操作された際に遷移する画面を示す図、（ｂ）図４または図６において洗剤投入方法設定・表示ボタンがタッチ操作された際に遷移する画面を示す図
【図８】従来の洗濯機の操作表示部の平面図
【発明を実施するための形態】
【００１２】
第１の発明における洗濯機は、外郭を形成する筐体と、前記筐体内に弾性防振支持された水槽と、前記水槽内に回転可能に配設された有底円筒形状のドラムと、液剤を収容したタンクと、前記タンク内の液剤を前記ドラム内へ自動投入する液剤自動投入手段と、操作部と表示部を有する操作表示部と、洗濯水量当たりの液剤投入量を設定する液剤投入量入力手段と、前記液剤投入量入力手段で設定された値を前記操作表示部に表示させる液剤基準使用量表示手段と、洗い・すすぎ・脱水の一連の洗濯運転を実行するコントローラと、を備え、前記洗濯水量当たりの液剤投入量が設定されていない場合、前記コントローラは、前記操作表示部に、前記洗濯水量当たりの液剤投入量が未設定である旨を表示すよう構成されたものである。
【００１３】
これにより、使用者が、洗濯水量当たりの液剤投入量を設定し忘れることを抑制できる。
【００１４】
第２の発明は、特に、第１の発明の洗濯機において、前記洗濯水量当たりの液剤投入量が設定されていない場合、前記コントローラは、前記操作表示部の前記液剤基準使用量表示手段により前記洗濯水量当たりの液剤投入量が表示される位置に、前記洗濯水量当たりの液剤投入量が未設定である旨を表示するものである。
【００１５】
これにより、前記洗濯水量当たりの液剤投入量が未設定である旨を視認し易くなる。
【００１６】
第３の発明は、第１または２の発明の洗濯機において、初期状態における洗濯水量当たりの液剤投入量を記憶する記憶部と、を備え、前記コントローラは、洗濯水量当たりの液剤投入量が設定されていない状態で前記洗濯運転を実行した場合、前記記憶部に記憶されている液剤投入量に基づいた量の液剤を前記ドラムへ投入するよう構成されたものである。
【００１７】
これにより、洗濯水量当たりの液剤投入量が設定されていない場合でも洗濯運転は可能
であり、たちまち洗濯ができなくなるという事態を避けることが可能となる。
【００１８】
第４の発明は、外郭を形成する筐体と、前記筐体内に弾性防振支持された水槽と、前記水槽内に回転可能に配設された有底円筒形状のドラムと、液剤を収容したタンクと、前記タンク内の液剤を前記ドラム内へ自動投入する液剤自動投入手段と、操作部と表示部を有する操作表示部と、洗剤または柔軟剤を手動投入するモードと、液剤を自動投入するモードのいずれかを選択する洗剤投入方法設定手段と、洗い・すすぎ・脱水の一連の運転を実行するコントローラと、を備え、前記コントローラは、洗濯水量当たりの液剤投入量が設定されていない状態において、前記液剤投入方法設定手段で液剤を自動投入するモードを選択した場合、洗濯水量当たりの液剤投入量を設定する画面へ遷移するものである。
【００１９】
これにより、使用者が、洗濯水量当たりの液剤投入量を設定し忘れることを抑制できる。
【００２０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２１】
（実施の形態１）
以下、図１〜８を用いて、実施の形態１を説明する。
【００２２】
図１は、本発明の実施の形態１における洗濯機の斜視図、図２は、本発明の実施の形態１における洗濯機の縦断面図である。
【００２３】
図１及び図２において、洗濯機１００の外郭である筐体１０１の内部には、有底円筒形の水槽１０５が複数のサスペンション（図示せず）およびダンパー１６３により弾性的に防振支持されている。水槽１０５内には、有底円筒形のドラム１０６（洗濯槽）が回転可能に配設される。ドラム１０６の内壁面には、バッフル１０６ａが複数個設けられている。ドラム１０６を低速で回転させることにより、バッフル１０６ａが衣類を引っ掛けて上方に持ち上げ、落下させるといった撹拌動作を与えることができる。ドラム１０６の周面には、貫通された複数の小孔（図示せず）が形成されている。水槽１０５の底部には、ドラム１０６を回転駆動させる槽回転モータ（図示せず）が配設される。
筐体１０１の前面には、衣類を出し入れするため開口された衣類投入取出口１０３が形成されている。筐体１０１の前面には、蓋体１０２が設けられている。蓋体１０２は、衣類投入取出口１０３を開閉自在に覆っている。蓋体１０２を開放することにより、衣類投入取出口１０３からドラム１０６内へ衣類を投入できる。
【００２４】
筐体１０１の水槽１０５よりも上部には、液剤自動投入装置１０９が設けられている。
【００２５】
筐体１０１上部には、開閉可能な蓋体１１４ａが設けられる。蓋体１１４ａを開け、洗剤タンク（タンク）１１７及び柔軟剤タンク（タンク）１２６を着脱可能に装着できる。
【００２６】
蓋体１０２上部には、運転を操作する操作部と、運転状態を表示する表示部とを備える操作表示部１０４が配設される。
【００２７】
筐体１０１には、槽回転モータ等を制御し、洗い、すすぎ、脱水等の一連の工程を逐次実行するコントローラ１０８が配設される。コントローラ１０８は、布量判定部（図示せず）と、液剤投入量算出部（図示せず）を有する。布量判定部は、例えば、槽回転モータを一定回転数で回転させた時のトルク電流値により、１０ｋｇまでの洗濯物を１０段階程
度に分類する機能を提供する。また、布量判定結果に応じて、洗濯で使用する水量を決定する。液剤投入量算出部は、布量判定部により検出した布量から、洗剤投入量及び柔軟剤投入量を算出する。
【００２８】
洗濯機１００には、記憶部（図示せず）が設けられている。記憶部は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）からなる。記憶部には、洗剤種類に関する情報を記憶する洗剤種類記憶部（図示せず）を含む、洗濯運転に関する各種設定情報が記憶される。
【００２９】
給水器１１０は、筐体１０１上部に設けられ、給水路（図示せず）と、第１の給水弁１１０ａ（給水弁）から構成される。給水路（図示せず）の一端は、給水ホース（図示せず）を介して蛇口と連通している。
【００３０】
タンク収容ケース（図示せず）は、上面が開口した収容部を有する容器である。タンク収容ケース（図示せず）には、洗剤タンク１１７と柔軟剤タンク１２６が着脱可能に取り付けられる。タンク収容ケース（図示せず）の収容部の前方には、洗剤ケース１１５が着脱可能に取り付けられる。洗剤ケース１１５は、上面が開口した容器で、洗剤収容部と柔軟剤収容部とに区画される。使用者は液剤自動投入装置１０９を使用しない場合に、洗剤収容部に洗剤を、柔軟剤収容部に柔軟剤を手動投入して、洗濯運転を行う。
【００３１】
上記構成における洗濯機において、以下に洗濯運転の動作を説明する。
【００３２】
洗濯機１００の洗濯運転は、衣類を洗濯水に浸しドラム１０６を回転することで汚れを落とす『洗い工程』、洗剤水で浸った衣類を水で濯ぐ『すすぎ工程』、水を含んだ衣類を脱水する『脱水工程』、温風をドラム１０６へ供給しドラム１０６内の衣類を乾燥させる『乾燥工程』などがある。
【００３３】
使用者は洗濯を行う前に、予め、洗剤液を洗剤タンク１１７へ投入するとともに、柔軟剤液を柔軟剤タンク１２６へ投入しておく。また、蓋体１０２を開け、衣類投入取出口１０３からドラム１０６内に衣類を投入する。次に、操作表示部１０４を操作して電源スイッチをＯＮにするとともに、洗いやすすぎ、脱水など、各種洗濯コースや洗濯条件を設定する。
【００３４】
以下、『洗濯コース』における運転動作を説明する。
【００３５】
使用者はまず、洗濯機本体に電源を供給する。これにより、タッチパネル表示部１０４ａが点灯し、図３に示す画面が表示される。タッチパネル表示部１０４ａに表示される設定ボタンの上を指でタッチ操作することで画面の切り替えや設定内容の変更等を行う。
【００３６】
図３は、本発明の実施の形態１における洗濯機のタッチパネル表示部の電源投入後の表示画面である。図３には、洗濯のみ・洗濯〜乾燥など運転モードを切り替えるモード切替ボタン２００と、特に使用者が良く使用すると考えられる標準的な運転コースを切り替えるコース切替ボタン２０１と、液剤自動投入装置１０９を使用する際に各種設定を行う自動投入ボタン２０２が配置されている。
【００３７】
図４は、図３における自動投入ボタン２０２がタッチ操作された際に遷移する画面である。図４には、手動投入方法を選択しているか、自動投入方法を選択しているかを表示する洗剤投入方法設定・表示ボタン２０３と、洗濯水量当たりの洗剤基準使用量を入力する画面に遷移させる洗剤投入量入力手段２０４と、入力された洗濯水量当たりの洗剤基準使
用量を表示する第一洗剤基準使用量表示２０５（液剤基準使用量表示手段）が配置されている。ここで、基準使用量が設定されていない場合、基準使用量が設定されていない旨を明確に示す『未設定』の表示を、操作表示部１０４に配されたタッチパネル表示部１０４ａに行う。
【００３８】
また、柔軟剤についても洗剤と同様に、柔軟剤投入方法設定・表示ボタン２０６と、柔軟剤投入量入力手段２０７と、第一柔軟剤基準使用量表示２０８（液剤基準使用量表示手段）が配置されている。
【００３９】
図５は、図４における洗剤投入量入力手段２０４がタッチ操作された際に画面遷移する画面である。図５には、入力された洗剤の洗濯水量当たりの洗剤基準使用量を表示する第二洗剤基準使用量表示２０９と、基準使用量を水３０Ｌあたり３〜３０ｍｌに設定するための洗剤基準量調整スライドボタン２１０が配置されている。また、柔軟剤についても洗剤と同様の構成なので、説明は割愛する。
【００４０】
洗濯水量当たりの洗剤基準使用量を設定すると、図６に示す第２画面に戻り、第一洗剤基準使用量表示２０５には、洗剤基準量調整スライドボタン２１０で設定された基準使用量（水３０Ｌあたり１０ｍｌ）が表示されている。また、柔軟剤についても洗剤と同様の構成なので、説明は割愛する。
【００４１】
図７（ａ）は、図４または図６において洗剤投入方法設定・表示ボタンがタッチ操作された際に画面遷移する画面、図７（ｂ）は、図４または図６において洗剤投入方法設定・表示ボタンがタッチ操作された際に画面遷移する画面である。
【００４２】
図７（ａ）に配置する投入方法選択ボタン２１１ａは、手動投入を選択した状態での洗剤投入量の選択ボタンで、「なし」が洗濯されている。図７（ｂ）には、洗剤を自動で投入する場合の投入方法選択ボタン２１１ｂが配置されており、「標準」が選択されている。
【００４３】
使用者は液剤自動投入装置１０９を使用して洗剤を自動投入する場合、図４の画面で各種設定を行うことになる。ここで、図８に示す従来の洗濯機の操作表示部では、２水準以上の選択肢（例えば「おおめ」「ふつう」「すくなめ」）の内、「ふつう」が選択された状態のみを表示しているため、使用者が洗濯水量当たりの液剤投入量を正しく設定できていなかったとしても、その状態を認知しにくかった。
【００４４】
一方、本実施の形態においては、図４に示すように、操作表示部１０４内に配されたタッチパネル表示部１０４ａ内のどこかに基準使用量が設定されていない旨を明確に示す『未設定』の表示を行うことから、洗濯水量当たりの洗剤基準使用量を設定する必要があることを認知しやすい。即ち、洗剤投入量入力手段２０４をタッチ操作し、図５の洗剤基準量調整スライドボタン２１０で使用する洗濯水量当たりの洗剤基準使用量を設定する作業を確実に行うことが可能となる。
【００４５】
また、使用者が洗濯水量あたりの洗剤基準使用量を設定していなかった場合、『未設定』である状態を、操作表示部１０４内部に配されたタッチパネル表示部１０４ａの中でも特に、図４のとおり第一洗剤基準使用量表示２０５に表示することで、未設定である状態をより鮮明に、即ち啓蒙表示としては、より強調した形態で行うことができる。
【００４６】
次に、図７（ｂ）の投入方法選択ボタン２１１ｂで、洗剤の投入方法を選択し（例えば自動投入「標準」）し、『洗濯コース』運転をスタートする。また、柔軟剤を自動投入する場合についても洗剤と同様の構成なので、説明は割愛する。
『洗濯コース』運転を開始すると、コントローラ１０８は、布量判定工程、給水工程、洗い工程、すすぎ工程、脱水工程を逐次実行するよう制御する。布量判定工程では、布量判定部が、布量検知では、槽回転モータを一定回転数で正転方向、反転方向に繰り返し回転させた時のトルク電流値を測定することにより、ドラム１０６内の布量を検出する。
【００４７】
次に、液剤自動投入装置１０９を駆動させ、洗剤液を洗剤タンク１１７からドラム１０６内へ投入する。次に、給水弁１１０ａを開け、布量に応じた水量の水道水をドラム１０６内に給水する給水工程を実行する。
【００４８】
洗い工程終了後、コントローラ１０８は、脱水を実行した後、すすぎ工程を実行する。すすぎ工程では、給水弁１１０ａを開放させ、所定量の水道水を水槽１０５内へ供給した後、液剤自動投入装置１０９を駆動させ、柔軟剤液を柔軟剤タンク１２６から水槽１０５内へ供給する。洗剤液や柔軟剤液供給の後、水道水を給水して洗剤や柔軟剤液の水路を洗い流す。すすぎ工程が終了すると、脱水工程を実行し、洗濯コースが完了する。
【００４９】
以上のように、本実施の形態における洗濯機は、水槽１０５内に回転可能に配設された有底円筒形状のドラム１０６と、液剤を収容した洗剤タンク１１７と、洗剤タンク１１７内の液剤をドラム１０６内へ自動投入する液剤自動投入装置１０９と、洗濯水量当たりの液剤投入量を設定する液剤投入量入力手段と、液剤投入量入力手段で設定された値を操作表示部１０４に表示させる液剤基準使用量表示手段と、コントローラと、を備える。洗濯水量当たりの液剤投入量が設定されていない場合、コントローラは、操作表示部１０４に、洗濯水量当たりの液剤投入量が未設定である旨を表示する。これにより、使用者が、洗濯水量当たりの液剤投入量を設定し忘れることを抑制できる。
【００５０】
（実施の形態２）
実施の形態２は、使用者が洗濯水量当たりの洗剤基準使用量を設定する画面に遷移させる洗剤投入量入力手段２０４を押さず、第一洗剤基準使用量表示２０５には、『未設定』と表示されている状態で、液剤自動投入装置１０９を使用して洗剤を自動投入しようとした場合でも洗濯運転ができるよう、コントローラ１０８内に記憶された初期液剤投入量（例えば水３０Ｌあたり１０ｍｌ）に基づき洗剤をドラム１０６内へ自動投入する。但し、第一洗剤基準使用量表示２０５には、『未設定』と表示されている状態を継続し、正しい基準使用量が設定されていない旨を啓蒙表示し続ける。これにより、洗濯水量当たりの液剤投入量が設定されていない場合でも洗濯運転は可能であり、たちまち洗濯ができなくなるという事態を避けることが可能となる。
【００５１】
他の構成については、実施の形態１と同様の構成なので、説明は割愛する。また、使用者が洗濯水量当たりの柔軟剤の基準使用量を設定していない状態で、洗濯工程を使用しようとした場合も、同様の構成なので、説明は割愛する。
【００５２】
（実施の形態３）
実施形態３では、使用者が洗濯水量当たりの洗剤基準使用量の設定忘れを防ぐため、洗剤基準使用量が未設定の状態で、図７（ｂ）で示すように、投入方法選択ボタン２１１ｂで、自動投入（例えば自動投入「標準」）を選択した場合、図４でなく、図５に示す第３画面に自動的に遷移するよう制御することを特徴とする。これにより、洗濯水量当たりの洗剤基準使用量を設定する必要があることを認知しやすくなる。即ち、図５の洗剤基準量調整スライドボタン２１０で使用する洗剤の洗濯水量当たりの洗剤基準使用量を設定する作業を確実に行うことが可能となる。他の構成については、実施の形態１と同様の構成なので、説明は割愛する。また、柔軟剤を自動投入する場合についても洗剤と同様の構成なので、説明は割愛する。
【００５３】
なお、本実施の形態はドラム式洗濯機を用いて説明したが、本発明はこれに限られず、縦型洗濯機でも同様の作用効果を奏することができる。
【産業上の利用可能性】
【００５４】
以上のように、本発明にかかる洗濯機は、洗濯水量当たりの洗剤基準使用量の設定忘れを防止でき、液剤投入量を適正にすることで、所望の洗浄性能やすすぎ性能を提供することができる。
【符号の説明】
【００５５】
１０１  筐体
１０４  操作表示部
１０５  水槽
１０６  ドラム
１０８  コントローラ
１０９  液剤自動投入装置
１１０ａ  給水弁
１１７  洗剤タンク（タンク）
１２６  柔軟剤タンク（タンク）
２０５  第一洗剤基準使用量表示（液剤基準使用量表示手段）
２０８  第一柔軟剤基準使用量表示（液剤基準使用量表示手段）
【図１】
2019042265.tif 000003
【図２】
2019042265.tif 000004
【図３】
2019042265.tif 000005
【図４】
2019042265.tif 000006
【図５】
2019042265.tif 000007
【図６】
2019042265.tif 000008
【図７】
2019042265.tif 000009
【図８】
2019042265.tif 000010